(57)【特許請求の範囲】
【請求項１】
３−ヒドロキシ−２−ニトロ安息香酸：
【化１】
0006587976.tif 000027
４−ヒドロキシ−３−ニトロ安息香酸：
【化２】
0006587976.tif 000028
５−ヒドロキシ−２−ニトロ安息香酸：
【化３】
0006587976.tif 000029
３−ヒドロキシ−５−ニトロ安息香酸：
【化４】
0006587976.tif 000030
及び
４−ヒドロキシ−２−ニトロ安息香酸：
【化５】
0006587976.tif 000031
からなる群から選ばれる少なくとも１つのヒドロキシニトロ安息香酸の存在下で、タンパク質又はペプチドにレーザー光を照射することを含む、ペプチド主鎖のＣα−Ｃ結合及び／又は側鎖結合を特異的に切断する方法。
【請求項２】
３−ヒドロキシ−２−ニトロ安息香酸：
【化６】
0006587976.tif 000032
４−ヒドロキシ−３−ニトロ安息香酸：
【化７】
0006587976.tif 000033
５−ヒドロキシ−２−ニトロ安息香酸：
【化８】
0006587976.tif 000034
３−ヒドロキシ−５−ニトロ安息香酸：
【化９】
0006587976.tif 000035
及び
４−ヒドロキシ−２−ニトロ安息香酸：
【化１０】
0006587976.tif 000036
からなる群から選ばれる少なくとも１つのヒドロキシニトロ安息香酸の存在下で、タンパク質又はペプチドにレーザー光を照射して、ペプチド主鎖のＣα−Ｃ結合及び／又は側鎖結合を特異的に切断し、
生成したフラグメントイオンを質量分析法により分析することを含む、タンパク質又はペプチドのアミノ酸配列決定方法。
【請求項３】
マトリックスとしての、３−ヒドロキシ−２−ニトロ安息香酸、４−ヒドロキシ−３−ニトロ安息香酸、５−ヒドロキシ−２−ニトロ安息香酸、３−ヒドロキシ−５−ニトロ安息香酸、及び４−ヒドロキシ−２−ニトロ安息香酸からなる群から選ばれる少なくとも１つのヒドロキシニトロ安息香酸の存在下で、タンパク質又はペプチドにレーザー光を照射して、ペプチド主鎖のＣα−Ｃ結合及び／又は側鎖結合を特異的に切断し、
生成したフラグメントイオンをＭＡＬＤＩ質量分析法により分析することを含む、タンパク質又はペプチドのアミノ酸配列決定方法。
【請求項４】
前記生成したフラグメントイオンとして、
ａ−系列イオン種及び／又はx−系列イオン種
を分析する、請求項２又は３に記載のタンパク質又はペプチドのアミノ酸配列決定方法。
【請求項５】
前記生成したフラグメントイオンとして、
ａ−系列イオン種及びｄ−系列イオン種
を分析する、請求項２又は３に記載のタンパク質又はペプチドのアミノ酸配列決定方法。
【請求項６】
３−ヒドロキシ−２−ニトロ安息香酸：
【化１１】
0006587976.tif 000037
４−ヒドロキシ−３−ニトロ安息香酸：
【化１２】
0006587976.tif 000038
５−ヒドロキシ−２−ニトロ安息香酸：
【化１３】
0006587976.tif 000039
３−ヒドロキシ−５−ニトロ安息香酸：
【化１４】
0006587976.tif 000040
及び
４−ヒドロキシ−２−ニトロ安息香酸：
【化１５】
0006587976.tif 000041
からなる群から選ばれる少なくとも１つのヒドロキシニトロ安息香酸を含む、タンパク質又はペプチド主鎖のＣα−Ｃ結合及び／又は側鎖結合を特異的に切断する試薬。
【発明の詳細な説明】
【技術分野】
【０００１】
本発明は、タンパク質及びペプチドのペプチド主鎖のＣα−Ｃ結合及び側鎖の特異的切断方法に関する。さらに、本発明は、３−ヒドロキシ−２−ニトロ安息香酸、４−ヒドロキシ−３−ニトロ安息香酸、５−ヒドロキシ−２−ニトロ安息香酸、３−ヒドロキシ−５−ニトロ安息香酸及び４−ヒドロキシ−２−ニトロ安息香酸からなる群から選ばれる少なくとも１つのヒドロキシニトロ安息香酸をマトリックスとして用いて、タンパク質及びペプチドを質量分析法、特に、ＭＡＬＤＩ−ＭＳ（マトリックス支援レーザー脱離イオン化質量分析）により測定し、タンパク質及びペプチドのアミノ酸配列を決定する方法に関する。
【背景技術】
【０００２】
特開２００５−３２６３９１号公報（特許文献１）及び非特許文献１には、ペプチドを予め２−ニトロベンゼンスルフェニル基によって修飾し、α−シアノ−３−ヒドロキシケイ皮酸（３−ＣＨＣＡ）、３−ヒドロキシー４−ニトロ安息香酸（３Ｈ４ＮＢＡ；3-hydroxy-4-nitrobenzoic acid）、又はそれらの混合物をマトリックスとして用いて、ＭＡＬＤＩ（マトリックス支援レーザー脱離イオン化）質量分析を行うことが開示されている。しかしながら、これらのマトリックスによって、タンパク質及びペプチドのペプチド主鎖のＣα−Ｃ結合及び側鎖を特異的に切断することについては開示も示唆もなされていない。
【０００３】
国際公開ＷＯ２０１１／００７７４３号公報（特許文献２）及び非特許文献２には、５−アミノサリチル酸（５−ＡＳＡ；5-amino salicylic acid）をマトリックスとして用いて、ＭＡＬＤＩ質量分析を行い、ペプチド主鎖のＮ−Ｃα結合を特異的に切断する方法が開示されている。
【０００４】
特開２０１３−１３０５７０号公報（特許文献３）及び非特許文献３には、１−ヒドロキシ−５−官能基置換ナフタレン化合物の存在下で、タンパク質又はペプチドにレーザー光を照射することを含む、ペプチド主鎖のＮ−Ｃα結合又はＣα−Ｃ結合を特異的に切断する方法が開示されている。１−ヒドロキシ−５−官能基置換ナフタレン化合物として、１−ヒドロキシ−５−アミノナフタレン、１，５−ジヒドロキシナフタレンが用いられている。
【０００５】
非特許文献４には、５-ニトロサリチル酸（５−ＮＳＡ；5-nitro salicylic acid）、４−ニトロサリチル酸（４-ＮＳＡ; 4-nitro salicylic acid）、３−ニトロサリチル酸（３-ＮＳＡ; 3-nitro salicylic acid）、５−ホルミルサリチル酸（５−ＦＳＡ；5-formyl salicylic acid）を用いて、ＭＡＬＤＩ質量分析を行い、ペプチド主鎖のＣα−Ｃ結合を特異的に切断する方法が開示されている。
【０００６】
ＭＡＬＤＩ質量分析におけるIn-Source Decay（ＩＳＤ：インソース分解）法は、イオン源内でサンプルイオンのフラグメンテーションを誘発し、生成したフラグメントイオンを分析する方法である。また、ペプチド鎖のアミノ酸配列情報を得るためには、質量分析において、ａ−，ｂ−，ｃ−，ｘ−，ｙ−，ｚ−いずれか１種類の、あるいは複数種類のseries（系列）イオン種が連続的に検出されることが必要となる。
【０００７】
ペプチド及びタンパク質の分析におけるＭＡＬＤＩ−ＩＳＤでの主流は、還元マトリックス（非特許文献５）を用いるものである。この場合、マトリックスがサンプルと共存している状況でレーザー光照射により誘引されたマトリックス分子由来の水素ラジカルがサンプル分子に与えられ（還元マトリックス）、ペプチド主鎖のＮ−Ｃα結合の開裂(cleavage)が誘引され、主にc-seriesイオン及びz-seriesイオンのイオン種が生成される（非特許文献５、非特許文献６）。しかしながら、還元マトリックスを用いると、アミノ酸Proline（Pro, P）の左側の開裂が極めて起こり難く、Proline（Pro, P）の左側の開裂によるc-seriesイオンの生成がない。さらに、還元マトリックスを用いると、側鎖の開裂によるd-seriesイオンのイオン種が生成することはほとんどない。
【０００８】
c-series又はz-seriesイオン種を生成するマトリックスとして、例えば、１，５−ジアミノナフタレン（１，５−ＤＡＮ；1,5-Diaminonaphthalene）が知られている（非特許文献７）。１，５−ＤＡＮにより生じるc-seriesイオン種では、アミノ酸Proline（Pro, P）の左側の開裂が極めて起こり難く、Proline（Pro, P）の左側の開裂によるc-seriesイオンの生成がない。これは、Proline（Pro, P）が、c-series切断（Ｎ−Ｃα間を含む）部位で環状構造となっていることに起因する。そのため、Proline（Pro, P）含有部位の配列情報が入手困難になる。また、a-seriesイオン種を介し側鎖の開裂によって生じるd-seriesのイオン種の生成が困難なため、d-seriesのイオン種によるアミノ酸残基の質量が完全同一のLeucine（Leu, L）とIsoleucine（Ile, I）の判別ができない。１，５−ＤＡＮでは、ｚ-seriesのイオン種を介し側鎖の開裂によるw-seriesのイオン種の生成が生じる場合があり、その場合はLeucine（Leu, L）とIsoleucine（Ile, I）とを識別できる可能性があるが、ペプチドのＣ末端にArginine(Arg, R), Lysin(Lys, K)など塩基性アミノ酸がある場合に限定される。
【０００９】
ＭＡＬＤＩ−ＩＳＤに多く用いられている１，５−ＤＡＮマトリックスの特徴は、以下にまとめられる：
[1] １，５−ＤＡＮはc-series,又はz-series及び／又はw-seriesイオン種を生成させる（a-series及び／又はd-seriesイオン種の生成が困難である）。
[2] １，５−ＤＡＮは発癌性が疑われている。
[3] １，５−ＤＡＮは真空中で昇華しやすい。そうすると、１，５−ＤＡＮを用いると、測定時間が限られ、定量性も損なわれやすい。また、昇華した１，５−ＤＡＮが他の測定時に混入するキャリーオーバーが発生しやすい。
[4] １，５−ＤＡＮは溶液状態で劣化（酸化）しやすい。例えば、溶媒に用いる水又はアセトニトリル中の酸素などで劣化しやすい。そうすると、溶液状態での１，５−ＤＡＮのストックが困難である。
[5] １，５−ＤＡＮを用いると、サンプル／マトリックス溶液混合滴下乾固後のサンプルプレート上での残渣の表面均一性が低く、位置による厚みの違いの差が大きい。そうすると、Rasterで良好なデータが得られ難くなり、TOFでは分解能と質量精度の低下を招く。
[6] １，５−ＤＡＮマトリックス由来のクラスターイオンの多量生成により、ペプチド鎖Ｎ末端側（通常は、Ｎ末端側の数残基）の情報が得られ難い。
【００１０】
一方、ペプチド及びタンパク質の分析におけるＭＡＬＤＩ−ＩＳＤにおいて、酸化マトリックス（非特許文献５）を用いることも知られている。この場合、マトリックスがサンプルと共存している状況でレーザー光照射を受けサンプル分子からの水素ラジカル脱離が起こり、脱離した水素ラジカルがマトリックス分子に与えられる（酸化マトリックス）(非特許文献５)。サンプル分子からの水素ラジカル脱離によりペプチド主鎖のＣα−Ｃ結合の開裂が引き起こされると、a-seriesイオン及びx-seriesイオンのイオン種が生成され（非特許文献５，８，９）、さらに側鎖の開裂によるd-seriesイオンの生成が容易である（非特許文献５）。
【００１１】
水素ラジカル脱離を促進してa-seriesイオン種を生成するマトリックスとしては、例えば、官能基−ＣＨＯが付加した５−ＦＳＡ (非特許文献４、５、８)、官能基−ＮＯ2 が付加した５−ＮＳＡ（非特許文献４、５、８）が知られている（非特許文献４、５、８、９）。しかし、一般的なペプチドに対し、５−ＦＳＡや５−ＮＳＡによるa-seriesイオン種の生成効率は、１，５−ＤＡＮによるc-seriesイオン種の生成効率と比べ、比較的低い傾向がある。
【先行技術文献】
【特許文献】
【００１２】
【特許文献１】特開２００５−３２６３９１号公報
【特許文献２】国際公開ＷＯ２０１１／００７７４３号公報
【特許文献３】特開２０１３−１３０５７０号公報
【非特許文献】
【００１３】
【非特許文献１】“Selective detection of 2-nitrobenzenesulfenyl-labeled peptide by matrix-assisted laser desorption/ionization-time of flight mass spectrometry using a novel matrix”, E. Matsuo, M. C. Toda, M. Watanabe, N. Ojima, S. Izumi, K. Tanaka, S. Tsunasawa, O. Nishimura: Proteomics (2006) Vol.6, pp2042-2049.
【非特許文献２】“In-source decay and fragmentation characteristics of peptide using 5-aminosalicylic acid as a matrix in matrix-assisted laser desorption/ionization mass spectrometry”, M. Sakakura, M. Takayama: J. Am. Soc. Mass Spectrom. (2010) Vol.21, pp979-988.
【非特許文献３】“５−Amino-1-naphthol, a novel 1,5-naphthalene derivative matrix suitable for matrix-assisted laser desorption/ionization in-source decay of phosphorylated peptides”, I. Osaka, M. Sakai, M. Takayama: Rapid Commun. Mass Spectrom. (2013) Vol.27, pp103-108.
【非特許文献４】“Influence of initial velocity of analyteson in-source decay products in MALDI mass spectrometry using salicylic acid derivative matrices”, D. Asakawa, M. Sakakura, M.Takayama: Int. J. Mass spectrom. (2013) Vol. 337, pp29-33.
【非特許文献５】“Principles of Hydrogen Radical Mediated Peptide/Protein Fragmentation during Matrix-Assisted Laser Desorption/Ionization Mass Spectrometry”, D. Asakawa: Mass Spectrometry Reviews (2014) (DOI 10. 1002/mas).
【非特許文献６】“N-Ca bond cleavage of the peptide backbone via hydrogen abstraction”, M. Takayama: J. Am. Soc. Mass Spectrom. (2001) Vol.12, pp1044-1049.
【非特許文献７】“Rational selection of the optimum MALDI matrix for top-down proteomics by in-source decay”, K. Demeure, L. Quinton, V. Gabelica, E.-D. Pauw: Anal. Chem. (2007) Vol.79, pp8678-8685.
【非特許文献８】“Cα-C Bond Cleavage of the Peptide Backbone in MALDI In-Source Decay Using Salicylic Acid Derivative Matrices”, D. Asakawa, M. Takayama: J. Am. Soc. Mass Spectrom. (2011) Vol. 22, pp1224-1233.
【非特許文献９】“Matrix Effect on In-Source Decay Products of Peptides in Matrix-Assisted Laser Desorption/Ionization”, D. Asakawa, M. Sakakura, M. Takayama, Mass Spectrometry (2012) Vol. 1, A0002.
【発明の概要】
【発明が解決しようとする課題】
【００１４】
上記のように、ペプチドやタンパク質の質量分析において、c-seriesイオン種を得るためには、１，５−ＤＡＮを用いることにより、生成効率や感度が高く、c-seriesイオン種を得ることができるが、a-series又はx-seriesのイオン種については、十分に高い生成効率や感度で、且つ、他のイオン種の混在が少なく、イオン種を生成することを可能とする酸化マトリックスがないのが現状である。また、c-series又はz-seriesイオン種を生成するマトリックスでは、質量が同一のアミノ酸であるLeucine（Leu, L）とIsoleucine（Ile, I）を判別できないのが現状である。このような現状において、タンパク質やペプチドのＣα−Ｃ結合を特異的に効率良く切断し、a-seriesなどのイオン種を、他のイオン種の混合が少なく、高感度に検出して、迅速に解析する方法が望まれる。さらに、側鎖を特異的に切断し、d-seriesイオンを高感度に検出し、それにより、タンパク質及びペプチドのアミノ酸配列を決定する方法が望まれる。
【００１５】
本発明の目的は、タンパク質及びペプチドのＣα−Ｃ結合及び／又は側鎖を特異的に切断する方法、及びそれにより、タンパク質及びペプチドのアミノ酸配列を決定する方法を提供することにある。
【課題を解決するための手段】
【００１６】
本発明者らは鋭意検討の結果、３−ヒドロキシ−２−ニトロ安息香酸、４−ヒドロキシ−３−ニトロ安息香酸、５−ヒドロキシ−２−ニトロ安息香酸、３−ヒドロキシ−５−ニトロ安息香酸及び４−ヒドロキシ−２−ニトロ安息香酸からなる群から選ばれる少なくとも１つのヒドロキシニトロ安息香酸をマトリックスとして用いることにより、上記目的を達成できることを見出した。
【００１７】
本発明は、以下の発明を含む。
（１）  ３−ヒドロキシ−２−ニトロ安息香酸：
【化１】
0006587976.tif 000002
４−ヒドロキシ−３−ニトロ安息香酸：
【化２】
0006587976.tif 000003
５−ヒドロキシ−２−ニトロ安息香酸：
【化３】
0006587976.tif 000004
３−ヒドロキシ−５−ニトロ安息香酸：
【化４】
0006587976.tif 000005
及び
４−ヒドロキシ−２−ニトロ安息香酸：
【化５】
0006587976.tif 000006
からなる群から選ばれる少なくとも１つのヒドロキシニトロ安息香酸の存在下で、タンパク質又はペプチドにレーザー光を照射することを含む、ペプチド主鎖のＣα−Ｃ結合及び／又は側鎖結合を特異的に切断する方法。
【００１８】
（２）  ３−ヒドロキシ−２−ニトロ安息香酸：
【化６】
0006587976.tif 000007
４−ヒドロキシ−３−ニトロ安息香酸：
【化７】
0006587976.tif 000008
５−ヒドロキシ−２−ニトロ安息香酸：
【化８】
0006587976.tif 000009
３−ヒドロキシ−５−ニトロ安息香酸：
【化９】
0006587976.tif 000010
及び
４−ヒドロキシ−２−ニトロ安息香酸：
【化１０】
0006587976.tif 000011
からなる群から選ばれる少なくとも１つのヒドロキシニトロ安息香酸の存在下で、タンパク質又はペプチドにレーザー光を照射して、ペプチド主鎖のＣα−Ｃ結合及び／又は側鎖結合を特異的に切断し、
生成したフラグメントイオンを質量分析法により分析することを含む、タンパク質又はペプチドのアミノ酸配列決定方法。
【００１９】
（３）  マトリックスとしての、３−ヒドロキシ−２−ニトロ安息香酸、４−ヒドロキシ−３−ニトロ安息香酸、５−ヒドロキシ−２−ニトロ安息香酸、３−ヒドロキシ−５−ニトロ安息香酸、及び４−ヒドロキシ−２−ニトロ安息香酸からなる群から選ばれる少なくとも１つのヒドロキシニトロ安息香酸の存在下で、タンパク質又はペプチドにレーザー光を照射して、ペプチド主鎖のＣα−Ｃ結合及び／又は側鎖結合を特異的に切断し、
生成したフラグメントイオンをＭＡＬＤＩ質量分析法により分析することを含む、タンパク質又はペプチドのアミノ酸配列決定方法。
【００２０】
（４）  前記生成したフラグメントイオンとして、
ａ−系列イオン種及び／又はx−系列イオン種
を分析する、上記（２）又は（３）に記載のタンパク質又はペプチドのアミノ酸配列決定方法。
【００２１】
（５）  前記生成したフラグメントイオンとして、
ａ−系列イオン種及びｄ−系列イオン種
を分析する、上記（２）又は（３）に記載のタンパク質又はペプチドのアミノ酸配列決定方法。
【００２２】
（６）  ３−ヒドロキシ−２−ニトロ安息香酸：
【化１１】
0006587976.tif 000012
４−ヒドロキシ−３−ニトロ安息香酸：
【化１２】
0006587976.tif 000013
５−ヒドロキシ−２−ニトロ安息香酸：
【化１３】
0006587976.tif 000014
３−ヒドロキシ−５−ニトロ安息香酸：
【化１４】
0006587976.tif 000015
及び
４−ヒドロキシ−２−ニトロ安息香酸：
【化１５】
0006587976.tif 000016
からなる群から選ばれる少なくとも１つのヒドロキシニトロ安息香酸を含む、タンパク質又はペプチド主鎖のＣα−Ｃ結合及び／又は側鎖結合を特異的に切断する試薬。
【００２３】
本発明において、ＭＡＬＤＩ−ＩＳＤ分析では、一般的に通常の分析よりもレーザー強度を高くすることによってＩＳＤフラグメンテーションを促進させる。すなわち、本発明において、マトリックスとしての３−ヒドロキシ−２−ニトロ安息香酸、４−ヒドロキシ−３−ニトロ安息香酸、５−ヒドロキシ−２−ニトロ安息香酸、３−ヒドロキシ−５−ニトロ安息香酸及び４−ヒドロキシ−２−ニトロ安息香酸からなる群から選ばれる少なくとも１つのヒドロキシニトロ安息香酸の存在下で、分析すべきサンプルのタンパク質又はペプチドに、サンプル由来のプロトン付加分子［Ｍ＋Ｈ］+ 生成に必要な量及び密度よりも、ある程度高い強度のレーザー光を照射することにより、タンパク質又はペプチドからの水素ラジカル脱離反応を促進させ、主にa-series及び／又はx-seriesイオン種を生成させ、さらにd-seriesイオン種を生成させる。
【発明の効果】
【００２４】
本発明において、３−ヒドロキシ−２−ニトロ安息香酸、４−ヒドロキシ−３−ニトロ安息香酸、５−ヒドロキシ−２−ニトロ安息香酸、３−ヒドロキシ−５−ニトロ安息香酸及び４−ヒドロキシ−２−ニトロ安息香酸からなる群から選ばれる少なくとも１つのヒドロキシニトロ安息香酸の存在下で、タンパク質又はペプチドにレーザー光を照射することにより、タンパク質又はペプチドからの水素ラジカル脱離反応が促進させられ、ペプチド主鎖のＣα−Ｃ結合及び／又は側鎖結合を特異的に切断することができる。
【００２５】
ペプチド主鎖のＣα−Ｃ結合及び／又は側鎖結合が特異的に切断されると、フラグメントイオンとして主にa-series及び／又はx-seriesイオン種が生成し、さらにd-seriesイオン種も生成する。a-series及び／又はx-seriesイオン種を質量分析法により検出分析することにより、Proline（Pro, P）の左側での開裂を検出しProline（Pro, P）含有部位の配列情報を得ることができる。また、d-seriesイオン種を質量分析法により検出分析することにより、アミノ酸残基の質量が完全同一であるLeucine（Leu, L）とIsoleucine（Ile, I）とを判別することができる。このように、本発明によれば、分析すべきタンパク質又はペプチドについて、高感度に迅速に、高いカバレッジで、より多くのアミノ酸配列情報を入手することができる。特に、ＭＳ／ＭＳのような多段階分析を行うことなく、１回のＭＳ測定により、アミノ酸配列情報を入手することができる。
【図面の簡単な説明】
【００２６】
【図１】図1は、マトリックスとして上から３−ヒドロキシ−２−ニトロ安息香酸（３Ｈ２ＮＢＡ）、４−ヒドロキシ−３−ニトロ安息香酸（４Ｈ３ＮＢＡ）、５−ヒドロキシ−２−ニトロ安息香酸（５Ｈ２ＮＢＡ）、３−ヒドロキシ−５−ニトロ安息香酸（３Ｈ５ＮＢＡ）、４−ヒドロキシ−２−ニトロ安息香酸（４Ｈ２ＮＢＡ）及び１，５−ジアミノナフタレン（１，５−ＤＡＮ）を用いた場合のN-Acetyl-Renin substrateのＩＳＤマススペクトル全体図である。横軸は質量／電荷（ｍ／ｚ）、縦軸はイオン強度を表す。
【図２】図２は、図１の低質量域部分拡大図である。
【図３】図３は、図１の高質量域部分拡大図である。
【図４】図４は、N-Acetyl-Renin substrate のＩＳＤイオン理論値リストである。
【図５】図５は、マトリックスとして上から３−ヒドロキシ−２−ニトロ安息香酸（３Ｈ２ＮＢＡ）、４−ヒドロキシ−３−ニトロ安息香酸（４Ｈ３ＮＢＡ）、５−ヒドロキシ−２−ニトロ安息香酸（５Ｈ２ＮＢＡ）、３−ヒドロキシ−５−ニトロ安息香酸（３Ｈ５ＮＢＡ）、４−ヒドロキシ−２−ニトロ安息香酸（４Ｈ２ＮＢＡ）及び５−ニトロサリチル酸（５−ＮＳＡ）を用いた場合のAmyloidβ[1-40]のＩＳＤマススペクトル全体図である。横軸は質量／電荷（ｍ／ｚ）、縦軸はイオン強度を表す。
【図６】図６は、図５の低質量域部分拡大図である。
【図７】図７は、図５の高質量域部分拡大図である。
【図８】図８は、Amyloidβ[1-40]のＩＳＤイオン理論値リストである。
【図９】図９は、マトリックスとして、（Ａ）３−ヒドロキシ−２−ニトロ安息香酸（３Ｈ２ＮＢＡ）、（Ｂ）４−ヒドロキシ−３−ニトロ安息香酸（４Ｈ３ＮＢＡ）、（Ｃ）５−ヒドロキシ−２−ニトロ安息香酸（５Ｈ２ＮＢＡ）、（Ｄ）３−ヒドロキシ−５−ニトロ安息香酸（３Ｈ５ＮＢＡ）、（Ｅ）４−ヒドロキシ−２−ニトロ安息香酸（４Ｈ２ＮＢＡ）、（Ｆ）５−ニトロサリチル酸（５−ＮＳＡ）及び（Ｇ）１，５−ジアミノナフタレン（１，５−ＤＡＮ）を用いた場合のマトリックス溶液とペプチドサンプル溶液Amyloidβ[1-40]とをサンプルプレート上に滴下し、その混合溶液を乾固した後の残渣の状態例を示す実体顕微鏡写真である。
【発明を実施するための形態】
【００２７】
分析すべきタンパク質又はペプチドについて、ペプチド鎖のアミノ酸配列情報を得るためには、質量分析において、ａ−，ｂ−，ｃ−，ｘ−，ｙ−，ｚ−いずれか１種類の、あるいは複数種のseriesのイオン種が連続的に検出されることが必要条件である。次の化学構造式は、４残基からなるペプチドを例として、ペプチド主鎖のフラグメンテーションの命名規則を示す。Ｒ1 、Ｒ2 、Ｒ3 、及びＲ4 は、アミノ酸残基側鎖を表す。
【００２８】
【化１６】
0006587976.tif 000017
【００２９】
次に、化学スキームを参照して、ペプチド主鎖の開裂によるc-seriesイオン及びz-seriesイオン、a-seriesイオン及びx-seriesイオンの生成機構について説明する（引用文献８のスキーム１を参照）。
【００３０】
【化１７】
0006587976.tif 000018
【００３１】
スキーム（ａ）は、ペプチド主鎖のＮ−Ｃα結合の開裂によるc-seriesイオン及びz-seriesイオンの生成機構を示している。還元マトリックスを用いて、マトリックスがタンパク質又はペプチドサンプルと共存している状況でレーザー光照射を行うと、レーザー光照射により誘引されたマトリックス分子由来の水素ラジカルがサンプル分子に与えられ（還元マトリックス）、ペプチド主鎖のＮ−Ｃα結合の開裂(cleavage)が誘引され、主にc-seriesイオン及び／又はz-seriesイオンのイオン種が生成される。Proline（Pro, P）は、c-series切断（Ｎ−Ｃα間を含む）部位で環状構造となっているために、Proline（Pro, P）の場合にはこのＮ−Ｃα結合の開裂が極めて起こり難く、Proline（Pro, P）の左側の開裂によるc-seriesイオンの生成がない。
【００３２】
スキーム（ｂ）は、ペプチド主鎖のＣα−Ｃ結合の開裂によるa-seriesイオン及びx-seriesイオンの生成機構を示している。酸化マトリックスを用いて、マトリックスがタンパク質又はペプチドサンプルと共存している状況でレーザー光照射を行うと、レーザー光照射によりサンプル分子からの水素ラジカル脱離が起こり、脱離した水素ラジカルがマトリックス分子に与えられる（酸化マトリックス）。サンプル分子からの水素ラジカル脱離によりペプチド主鎖のＣα−Ｃ結合の開裂が引き起こされると、a-seriesイオン及び／又はx-seriesイオンのイオン種が生成される。さらにa-seriesイオン種から側鎖の開裂によるd-seriesイオン種の生成が容易である。
【００３３】
［マトリックス］
本発明において、マトリックスとしての、３−ヒドロキシ−２−ニトロ安息香酸、４−ヒドロキシ−３−ニトロ安息香酸、５−ヒドロキシ−２−ニトロ安息香酸、３−ヒドロキシ−５−ニトロ安息香酸及び４−ヒドロキシ−２−ニトロ安息香酸からなる群から選ばれる少なくとも１つのヒドロキシニトロ安息香酸の存在下で、タンパク質又はペプチドサンプルにレーザー光を照射する。上記特定のヒドロキシニトロ安息香酸は１種のみを用いてもよいが、２種以上を組み合わせて用いてもよい。上記スキーム（ｂ）に従って、ペプチド主鎖のＣα−Ｃ結合及び／又は側鎖結合が特異的に切断される。以下にさらに詳細な化学スキームを、３−ヒドロキシ−２−ニトロ安息香酸（３Ｈ２ＮＢＡ）を例として示す。
【００３４】
【化１８】
0006587976.tif 000019
【００３５】
マトリックスとしての、３−ヒドロキシ−２−ニトロ安息香酸、４−ヒドロキシ−３−ニトロ安息香酸、５−ヒドロキシ−２−ニトロ安息香酸、３−ヒドロキシ−５−ニトロ安息香酸及び４−ヒドロキシ−２−ニトロ安息香酸からなる群から選ばれる少なくとも１つのヒドロキシニトロ安息香酸の存在下で、タンパク質又はペプチドサンプルにレーザー光を照射すると、レーザー光照射によりサンプル分子からの水素ラジカル脱離が起こり、脱離した水素ラジカルが上記特定のヒドロキシニトロ安息香酸分子に与えられる。上記特定のヒドロキシニトロ安息香酸は、ニトロ基により水素ラジカル受容能が高く、サンプル分子からの水素ラジカル脱離が起こりやすい。サンプル分子からの水素ラジカル脱離によりペプチド主鎖のＣα−Ｃ結合の開裂が引き起こされると、a-seriesイオン及び／又はx-seriesイオンのイオン種が生成される。さらにa-seriesイオン種から側鎖の開裂によるd-seriesイオンのイオン種の生成が容易である。
【００３６】
生成したa-seriesイオン及び／又はx-seriesイオンのイオン種、及びさらに側鎖の開裂により生成したd-seriesイオンのイオン種を質量分析法により分析して、タンパク質又はペプチドのアミノ酸配列を決定することができる。
【００３７】
［質量分析用結晶の作成］
質量分析用結晶は、分析対象のタンパク質又はペプチドと、３−ヒドロキシ−２−ニトロ安息香酸、４−ヒドロキシ−３−ニトロ安息香酸、５−ヒドロキシ−２−ニトロ安息香酸、３−ヒドロキシ−５−ニトロ安息香酸及び４−ヒドロキシ−２−ニトロ安息香酸からなる群から選ばれる少なくとも１つのヒドロキシニトロ安息香酸マトリックスとを溶媒中に少なくとも含む混合液の液滴を質量分析用ターゲットプレート上に形成する工程と、形成された前記混合液の液滴から前記溶媒を除去し、前記混合液中の不揮発分（すなわち少なくとも分析対象、及びマトリックス）を残渣として得る工程とによって得ることができる。得られた残渣が、すなわち質量分析用結晶である。本明細書においては、質量分析用結晶と残渣とは同義である。
【００３８】
質量分析用ターゲットとしては、通常ＭＡＬＤＩ質量分析用として用いられる導電性を有する金属製プレートを使用することができる。具体的には、ステンレス製のプレートを用いることができる。
【００３９】
前記混合液の液滴をターゲットプレート上に用意する具体的方法としては特に限定されない。例えば、まず、分析対象を含むサンプル溶液とマトリックス溶液とをそれぞれ別々に調製する。次に、それら溶液を混合させて混合液を得て、得られた混合液をターゲットプレート上に滴下する。又は、それら溶液をそれぞれターゲットプレート上の同じ位置に滴下することにより、ターゲットプレート上で混合させる（on-target mix法）。on-target mix法の場合、溶液の滴下順序は任意である。
【００４０】
前記混合液の溶媒としては、水、アセトニトリル（ＡＣＮ）、トリフルオロ酢酸（ＴＦＡ）、メタノール（ＭｅＯＨ）、エタノール（ＥｔＯＨ）、テトラヒドロフラン（ＴＨＦ）及びジメチルスホキシド（ＤＭＳＯ）などからなる群から選ばれうる。より具体的には、混合液の溶媒としては、例えば、ＡＣＮ水溶液、ＡＣＮ−ＴＦＡ水溶液、ＭｅＯＨ−ＴＦＡ、ＭｅＯＨ水溶液、ＥｔＯＨ−ＴＦＡ水溶液、ＥｔＯＨ水溶液、ＴＨＦ−ＴＦＡ水溶液、ＴＨＦ水溶液、ＤＭＳＯ−ＴＦＡ水溶液、ＤＭＳＯ水溶液などが用いられ、より好ましくは、ＡＣＮ水溶液やＡＣＮ−ＴＦＡ水溶液を用いることができる。ＡＣＮ−ＴＦＡ水溶液におけるＡＣＮの濃度は例えば１０〜９０体積％、好ましくは２５〜７５体積％であり、ＴＦＡの濃度は例えば０．０５〜１体積％、好ましくは０．０５〜０．１体積％でありうる。
【００４１】
前記混合液の液滴の体積としては特に限定されず、当業者が適宜決定することができる。ターゲットプレート上にウェルが設けられている場合、混合液の液滴は、ウェル内に形成することができる。この場合、液滴は、当該ウェル内に収まる程度の体積をもって形成される。具体的には、０．１μＬ〜２μＬ程度、例えば０．５μＬ程度の液滴を形成することができる。
【００４２】
次に、ターゲットプレート上の混合液の液滴から溶媒を除去する。溶媒の除去には溶媒の自然蒸発が含まれる。蒸発によって生じる残渣（すなわち質量分析用結晶）１個当たりに含まれるマトリックスの量は、例えば１ｐｍｏｌ〜１，０００ｎｍｏｌ、好ましくは１０ｐｍｏｌ〜１００ｎｍｏｌを目安にすることができる。分析対象の量は、例えば、マトリックス１０ｎｍｏｌに対し、試料１ａｍｏｌ〜１００ｐｍｏｌ、又は１００ａｍｏｌ〜５０ｐｍｏｌの範囲で許容される。
【００４３】
残渣は、ターゲットプレートとの接触面において、略円の形状をなす。すなわち、残渣の外縁は略円の形状である。前記の略円の平均直径は、試料量、滴下量、マトリックス量及び溶媒組成等によって異なりうるが、例えば０．１〜３ｍｍ、好ましくは０．５〜２ｍｍである。なお、平均直径とは、１個の残渣において、前記の略円の重心を通る直線が残渣の外縁で切り取られた線分の長さの平均である。
【００４４】
質量分析用ターゲットとして通常の金属製プレートを用いた場合には、溶媒の除去によって得られる略円形の残渣において、分析対象物質は主に前記略円内に存在する。そのため、イオン化の際のレーザー照射位置を特定することなく、分析対象物質のイオン化を容易に行うことができる。
【００４５】
［質量分析装置］
本発明において使用される質量分析装置としては、ＭＡＬＤＩ(マトリックス支援レーザー脱離イオン化)イオン源が組み合わされたものであれば特に限定されない。例えば、ＭＡＬＤＩ−ＴＯＦ(マトリックス支援レーザー脱離イオン化−飛行時間) 型質量分析装置、ＭＡＬＤＩ−ＱＩＴ（マトリックス支援レーザー脱離イオン化−四重極イオントラップ）型質量分析装置、ＭＡＬＤＩ−ＱＩＴ−ＴＯＦ（マトリックス支援レーザー脱離イオン化−四重極イオントラップ−飛行時間）型質量分析装置、ＭＡＬＤＩ―Ｑ−ＴＯＦ（マトリックス支援レーザー脱離イオン化−四重極−飛行時間）型質量分析装置、ＭＡＬＤＩ−ＦＴＩＣＲ（マトリックス支援レーザー脱離イオン化−フーリエ変換イオンサイクロトロン共鳴）型質量分析装置、ＭＡＬＤＩ−Ｏｒｂｉｔｒａｐ（マトリックス支援レーザー脱離イオン化−オービトラップ）型質量分析装置などが挙げられる。
【実施例】
【００４６】
以下に実施例を示し、本発明を具体的に説明するが、本発明は実施例に制限されるものではない。
【００４７】
以下の実施例において、ペプチドサンプルとして、次の２種を用いた。
N-Acetyl-Renin Substrate  （アミノ酸配列：Ac-DRVYIHPFHLLVYS）（配列番号１）
Amyloidβ[1-40]  （アミノ酸配列：DAEFRHDSGYEVHHQKLVFFAEDVGSNKGAIIGLMVGGVV）（配列番号２）
【００４８】
マトリックスとして、次の７種を用いた。
３Ｈ２ＮＢＡ（3-hydroxy-2-nitrobenzoic acid）本発明
【化１９】
0006587976.tif 000020
【００４９】
４Ｈ３ＮＢＡ（4-hydroxy-3-nitrobenzoic acid）本発明
【化２０】
0006587976.tif 000021
【００５０】
５Ｈ２ＮＢＡ（5-hydroxy-2-nitrobenzoic acid）本発明
【化２１】
0006587976.tif 000022
【００５１】
３Ｈ５ＮＢＡ（3-hydroxy-5-nitrobenzoic acid）本発明
【化２２】
0006587976.tif 000023
【００５２】
４Ｈ２ＮＢＡ（4-hydroxy-2-nitrobenzoic acid）本発明
【化２３】
0006587976.tif 000024
【００５３】
５−ＮＳＡ（5-nitrosalicylic acid）比較用
【化２４】
0006587976.tif 000025
【００５４】
１，５−ＤＡＮ（1,5-Diaminonaphthalene）比較用
【化２５】
0006587976.tif 000026
【００５５】
上記マトリックスのうち、３Ｈ２ＮＢＡ、４Ｈ３ＮＢＡ、５Ｈ２ＮＢＡ、３Ｈ５ＮＢＡ、４Ｈ２ＮＢＡ及び５−ＮＳＡは、官能基−ＮＯ2 を有している。この−ＮＯ2 基がレーザー光照射によりペプチドサンプルから水素ラジカルを引き抜く効果を発揮し、ペプチド主鎖のＣα−Ｃ結合の開裂が引き起こされる。結果としてa-seriesイオン種やx-seriesイオン種を生成させ、さらにd-seriesイオン種を生成させる。
【００５６】
上記マトリックスのうち、１，５−ＤＡＮは、官能基−ＮＨ2 を有している。−ＮＨ2 基は、レーザー光照射により１，５−ＤＡＮ分子由来の水素ラジカルを発生させペプチドサンプルに該水素ラジカルを付加する効果を発揮し、ペプチド主鎖のＮ−Ｃα結合の開裂が引き起こされる。結果としてc-seriesイオン種やz-seriesイオン種を生成させる。
【００５７】
サンプルプレート：ステンレス製２ｍｍ厚プレートを用いた。
質量分析装置：ＭＡＬＤＩ飛行時間型質量分析計［AXIMA-Performance（登録商標），島津製作所製］を用いた。
【００５８】
［実施例１］
ペプチドサンプル：N-Acetyl-Renin Substrate（Ac-DRVYIHPFHLLVYS）（配列番号１）
マトリックス：
３Ｈ２ＮＢＡ（3-hydroxy-2-nitrobenzoic acid）本発明
４Ｈ３ＮＢＡ（4-hydroxy-3-nitrobenzoic acid）本発明
５Ｈ２ＮＢＡ（5-hydroxy-2-nitrobenzoic acid）本発明
３Ｈ５ＮＢＡ（3-hydroxy-5-nitrobenzoic acid）本発明
４Ｈ２ＮＢＡ（4-hydroxy-2-nitrobenzoic acid）本発明
１，５−ＤＡＮ（1,5-Diaminonaphthalene）比較用
【００５９】
［操作］
（１）ペプチド試料溶液として、上記N-Acetyl-Renin Substrateの20 pmol/μL waterを作成した。
（２）マトリックス溶液として、３Ｈ２ＮＢＡ、４Ｈ３ＮＢＡ、５Ｈ２ＮＢＡ、３Ｈ５ＮＢＡ、又は４Ｈ２ＮＢＡの10mg/mL 75% ACN, waterをそれぞれ作成し、比較用として、１，５−ＤＡＮの10 mg/mL 75% ACN, waterを作成した。
（３）ＭＡＬＤＩサンプルプレート上に、（１）の試料溶液0.5 μLを滴下した後、（２）のマトリックス溶液を0.5 μL滴下した(on-target mix法)。１ウェル当たりのペプチド試料の量は、10pmolであった。
（４）溶媒が揮発した後、MALDI TOFMS ［AXIMA Performance（登録商標）, 島津製作所製）］の、ポジティブイオンモード、リニアモ−ドで、プレート上の残渣の広がりに応じて正方形１辺1.2ｍｍ〜1.7ｍｍ内を40×40=1,600点、ラスタ−分析により計測した。
【００６０】
［結果］
図1は、マトリックスとして３Ｈ２ＮＢＡ（最上段）、４Ｈ３ＮＢＡ（２段目）、５Ｈ２ＮＢＡ（３段目）、３Ｈ５ＮＢＡ（４段目）、４Ｈ２ＮＢＡ（５段目）、１,５−ＤＡＮ（最下段）を用いた場合のN-Acetyl-Renin substrate のＩＳＤマススペクトル全体図（m/z: 360-1840）であり、図２は、図１の低質量域部分拡大図（m/z: 530-1070）であり、図３は、図１の高質量域部分拡大図（m/z: 1030-1620）である。
【００６１】
図１及び２の最下段スペクトルに示されるように、１，５−ＤＡＮを用いると、低質量域にマトリックス由来のクラスターイオン（例えば、図２において、m/z：420〜650に存在する多数の高強度ピーク）が多種類及び多量に検出された。このため、たとえc-seriesイオン種が検出されていたとしても、解析に困難が伴いやすい。また、図２の最下段スペクトルに示されるように、 c6 イオンが検出されなかった。これは、N-Acetyl-Renin Substrate（アミノ酸配列：Ac-DRVYIH”P”FHLLVYS）のＮ末端から７番目がProline（Pro, P）であり、その手前の６番目のHistidine（His, H）との間のc-seriesイオンが検出されなかったためである。
【００６２】
これに対し、図１及び２の最上段から５段目のスペクトルに示されるように、３Ｈ２ＮＢＡ、４Ｈ３ＮＢＡ、５Ｈ２ＮＢＡ、３Ｈ５ＮＢＡ、４Ｈ２ＮＢＡを用いた場合には、クラスターイオンに埋没することなく a6 イオンも含めa-seriesイオン種が連続的に検出された。
【００６３】
図３の最下段スペクトルに示されるように、１，５−ＤＡＮを用いると、高質量域では、全てのc-seriesイオン種が検出されたが、質量分解能が低く質量精度も低い。この主な原因は、サンプルプレート上に１，５−ＤＡＮ溶液とサンプル溶液を滴下、乾固させた後の残渣の形態が不均一（例えば、後述の図９（Ｇ）参照）で針状の巨大な結晶成長と個別部位における厚みの違いがあり、飛行時間型質量分析で質量分解能と質量精度が低下したためと考えられる。これにより、例えば互いの質量差が１であるアミノ酸［例えば、Ile/Leu(113)←→Asn(114)←→Asp(115)，Gln/Lys(128)←→Glu(129)］の判別が困難になることが予想される。
【００６４】
これに対し、主に図１、２及び３に示されるように、３Ｈ２ＮＢＡ、４Ｈ３ＮＢＡ、５Ｈ２ＮＢＡ、３Ｈ５ＮＢＡ、４Ｈ２ＮＢＡを用いた場合には、a-seriesイオン種が全て検出されただけでなく、さらに、d5、d10，d11も検出されたため、N-Acetyl-Renin Substrate（アミノ酸配列：Ac-DRVY”I”HPFH“LL”VYS）のＮ末端から５番目がIsoleucine（Ile, I）であり、１０番目、及び１１番目が共にLeucine（Leu, L）であると決定できた。すなわち、Ｎ末端から５番目のアミノ酸が、質量数が同一のLeucine（Leu, L）ではなく、Isoleucine（Ile, I）である、さらに１０番目、及び１１番目のアミノ酸が、Isoleucine（Ile, I）ではなく、Leucine（Leu, L）であると判別できた。
【００６５】
図４に、N-Acetyl-Renin substrate のＩＳＤイオン理論値リストを示す。
【００６６】
［実施例２］
ペプチドサンプル：Amyloidβ[1-40]（アミノ酸配列：DAEFRHDSGYEVHHQKLVFFAEDVGSNKGAIIGLMVGGVV）（配列番号２）
マトリックス：
３Ｈ２ＮＢＡ（3-hydroxy-2-nitrobenzoic acid）本発明
４Ｈ３ＮＢＡ（4-hydroxy-3-nitrobenzoic acid）本発明
５Ｈ２ＮＢＡ（5-hydroxy-2-nitrobenzoic acid）本発明
３Ｈ５ＮＢＡ（3-hydroxy-5-nitrobenzoic acid）本発明
４Ｈ２ＮＢＡ（4-hydroxy-2-nitrobenzoic acid）本発明
５−ＮＳＡ（5-nitrosalicylic acid）比較用
【００６７】
［操作］
（１）ペプチド試料溶液として、上記Amyloidβ[1-40]の20pmol/μL 50％ACN 0.1％TFA waterを作成した。
（２）マトリックス溶液として、３Ｈ２ＮＢＡ、４Ｈ３ＮＢＡ、５Ｈ２ＮＢＡ、３Ｈ５ＮＢＡ、又は４Ｈ２ＮＢＡの10mg/mL 75% ACN, waterをそれぞれ作成し、比較用として、５−ＮＳＡの10 mg/mL 75% ACN, waterを作成した。
（３）ＭＡＬＤＩサンプルプレート上に、（１）の試料溶液0.5 μLを滴下した後、（２）のマトリックス溶液を0.5 μL滴下した(on-target mix法)。１ウェル当たりのペプチド試料の量は、10pmolであった。
（４）溶媒が揮発した後、MALDI TOFMS ［AXIMA Performance（登録商標）, 島津製作所製）］の、ポジティブイオンモード、リニアモ−ドで、プレート上の残渣の広がりに応じて正方形１辺1.2ｍｍ〜1.7ｍｍ内を40×40=1,600点、ラスタ−分析により計測した。
【００６８】
［結果］
図５は、マトリックスとして３Ｈ２ＮＢＡ（最上段）、４Ｈ３ＮＢＡ（２段目）、５Ｈ２ＮＢＡ（３段目）、３Ｈ５ＮＢＡ（４段目）、４Ｈ２ＮＢＡ（５段目）、５−ＮＳＡ（最下段）を用いた場合のAmyloidβ[1-40]のＩＳＤマススペクトル全体図（m/z: 450-4450）であり、図６は、図５の低質量域部分拡大図（m/z: 1320-2060）であり、図７は、図５の高質量域部分拡大図（m/z: 3040-3780）である。
【００６９】
図５のスペクトルに示されるように、５−ＮＳＡを用いると、低質量域にマトリックス由来のクラスターイオンが多種類及び多量に検出され、低質量域の配列情報入手に困難が伴いやすい。さらに、図６に示されるように、a-及びd-seriesイオン種以外のイオン種が比較的多く検出され、図７に示されるように、特に高質量域のd-seriesイオン種が検出困難なため、中質領域及び高質量域の配列情報入手に困難が伴いやすい。
【００７０】
これに対し、図６〜７の最上段〜５段目のスペクトルに示されるように、３Ｈ２ＮＢＡ、４Ｈ３ＮＢＡ、５Ｈ２ＮＢＡ、３Ｈ５ＮＢＡ、４Ｈ２ＮＢＡを用いた場合には、a-seriesイオン種全てと、Isoleucine（Ile, I）とLeucine（Leu, L）を判別するd-seriesイオン種(d17,d31,d32,d34)が全て検出された。このため、配列情報の入手が容易である。
【００７１】
［実施例３］
マトリックスとして３Ｈ２ＮＢＡ、４Ｈ３ＮＢＡ、５Ｈ２ＮＢＡ、３Ｈ５ＮＢＡ、４Ｈ２ＮＢＡを用いた場合のさらなる利点を図９（Ａ）〜（Ｇ）を用いて示す。
【００７２】
図９（Ａ）は、サンプルプレート上に、マトリックスとして３Ｈ２ＮＢＡ溶液と、ペプチドサンプル溶液Amyloidβ[1-40]とを滴下し、その混合溶液を乾固した後の残渣の状態例を示す実体顕微鏡写真である。同様に、図９（Ｂ）は、マトリックスとして４Ｈ３ＮＢＡを用いた場合の写真である。図９（Ｃ）は、マトリックスとして５Ｈ２ＮＢＡを用いた場合の写真である。図９（Ｄ）は、マトリックスとして３Ｈ５ＮＢＡを用いた場合の写真である。図９（Ｅ）は、マトリックスとして４Ｈ２ＮＢＡを用いた場合の写真である。
【００７３】
図９（Ｆ）は、サンプルプレート上に、マトリックスとして５−ＮＳＡ溶液と、ペプチドサンプル溶液Amyloidβ[1-40]とを滴下し、その混合溶液を乾固した後の残渣の状態例を示す実体顕微鏡写真である。同様に、図９（Ｇ）は、マトリックスとして１，５−ＤＡＮを用いた場合の写真である。
【００７４】
図９を見ると、マトリックスとして（Ａ）３Ｈ２ＮＢＡ、（Ｂ）４Ｈ３ＮＢＡ、（Ｃ）５Ｈ２ＮＢＡ、（Ｄ）３Ｈ５ＮＢＡ、又は（Ｅ）４Ｈ２ＮＢＡを用いると、正方形ラスタースキャンによってイオン化を行うべき残渣内側の形態が比較的均一であることが観察された。これに対し、（Ｇ）１，５−ＤＡＮを用いた場合は、細長い結晶が大きく成長することにより残渣の形態が不均一であることが観測された。
【００７５】
図９（Ｆ）を見ると、マトリックスとして５−ＮＳＡを用いると、マトリックスとして（Ａ）３Ｈ２ＮＢＡ、（Ｂ）４Ｈ３ＮＢＡ、（Ｃ）５Ｈ２ＮＢＡ、（Ｄ）３Ｈ５ＮＢＡ、又は（Ｅ）４Ｈ２ＮＢＡを用いた場合と同様に正方形ラスタースキャンによってイオン化を行うべき残渣内側の形態が比較的均一であることが観察されたが、残渣の厚みが厚い傾向がある。
【図１】
0006587976.tif 000042
【図２】
0006587976.tif 000043
【図３】
0006587976.tif 000044
【図４】
0006587976.tif 000045
【図５】
0006587976.tif 000046
【図６】
0006587976.tif 000047
【図７】
0006587976.tif 000048
【図８】
0006587976.tif 000049
【図９】
0006587976.tif 000050
【配列表】
0006587976000001.app